(57)【特許請求の範囲】
【請求項１】
上部側に遊技盤（９）が装着された内枠（３）と、該内枠（３）の前側に左右一端側のヒンジ（１３）により開閉自在に枢着され且つ発射用の遊技球を貯留する貯留皿（１４）を備えた開閉扉（１１）とを備え、前記内枠（３）と前記開閉扉（１１）との間に、それら前記内枠（３）側と前記開閉扉（１１）側とを電気的に接続するハーネス（１０９）が配設された弾球遊技機において、前記内枠（３）と前記開閉扉（１１）との間の空間を、前記ハーネス（１０９）の配置位置と前記遊技盤（９）との間で上下に遮断する遮断手段（１６８）を設け、前記ハーネス（１０９）は、前記内枠（３）側の内枠配線部（７５）と前記開閉扉（１１）側の扉配線部（１２６）との間を前後に接続するように配置され、前記内枠配線部（７５）は中継基板（７４ａ，７４ｂ）が装着された中継基板装着部（７５）により構成され、前記扉配線部（１２６）は前記中継基板装着部（７５）の下部前側に対応して設けられ且つ前記中継基板（７４ａ，７４ｂ）から前向きに引き出された前記ハーネス（１０９）を前側に挿通させるハーネス挿通孔（１２６）により構成されており、前記遮断手段（１６８）は、前記中継基板装着部（７５）の少なくとも上部側を前側から覆うカバー壁部（１６１）と、該カバー壁部（１６１）から後ろ向きに突設され且つその後端側が前記中継基板装着部（７５）の上側に当接又は嵌合する上仕切り壁部（１６４）と、前記カバー壁部（１６１）から前向きに突設され且つその前端側が前記ハーネス挿通孔（１２６）の上側に当接又は嵌合する下仕切り壁部（１６２ａ）とを一体に備えていることを特徴とする弾球遊技機。
【請求項２】
前記遮断手段（１６８）は、前記内枠（３）の前側に開閉自在に枢着された開閉体（１５１）上に設けられていることを特徴とする請求項１に記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、通常、矩形状の外枠と、外枠に開閉自在に枢支され且つその上部側に遊技盤が装着された内枠とを備えている。内枠には、その上部側に遊技盤等が、下部側に発射手段等が配置されると共に、その前側には、遊技盤の前側に対応するガラス扉と、発射手段等の前側に対応する下部開閉扉とが個別又は一体的に開閉可能に枢着されている。
【０００３】
下部開閉扉の前側には発射手段に供給するための遊技球を貯留する貯留皿が設けられており、内枠の背面側の払い出し手段から払い出された遊技球はこの貯留皿に排出されるようになっている。
【０００４】
また、最近の弾球遊技機では、下部開閉扉の前側に、発射ハンドル、貸し球操作部、演出操作ボタン等の各種電気部品が配置されているものが殆どであるが、そのような弾球遊技機においては、内枠と下部開閉扉との間の例えばヒンジ近傍に、それら内枠側と下部開閉扉側とを電気的に接続するための接続空間が設けられており、この接続空間に中継基板やハーネス等が配置されている（例えば特許文献１）。
【特許文献１】特開２００６−２３０９４８号公報
【発明の開示】
【発明が解決しようとする課題】
【０００５】
ところで、この種の弾球遊技機に対するゴト行為として、例えば内枠とその前側の開閉扉との隙間やドリル等で空けた穴などからピアノ線等を遊技領域に挿入し、遊技球が入賞しやすいように遊技釘を曲げるなどして不正に球を搾取するといった行為が問題となっている。従来の弾球遊技機においても、そのようなゴト行為に対しては、開閉扉と内枠との隙間を塞いだり、開閉扉の裏側に保護用の板金を配置するなどの対策がとられている。
【０００６】
しかしながら、上記接続空間については、隙間を完全に塞ぐことが難しいヒンジの近くであり、また開閉扉側にはハーネスを通すための孔が不可欠であるために保護板金で完全に閉鎖することができないことなどから、従来の対策では上記のようなゴト行為に対して万全であるとは言い難かった。
【０００７】
本発明は、上記事情に鑑みてなされたものであり、内枠側とその前側の開閉扉とを電気的に接続する接続空間を経て遊技盤側にピアノ線等を挿入して行うゴト行為を効果的に防止できる弾球遊技機を提供することを目的とする。
【課題を解決するための手段】
【０００８】
本発明は、上部側に遊技盤９が装着された内枠３と、該内枠３の前側に左右一端側のヒンジ１３により開閉自在に枢着され且つ発射用の遊技球を貯留する貯留皿１４を備えた開閉扉１１とを備え、前記内枠３と前記開閉扉１１との間に、それら前記内枠３側と前記開閉扉１１側とを電気的に接続するハーネス１０９が配設された弾球遊技機において、前記内枠３と前記開閉扉１１との間の空間を、前記ハーネス１０９の配置位置と前記遊技盤９との間で上下に遮断する遮断手段１６８を設け、前記ハーネス１０９は、前記内枠３側の内枠配線部７５と前記開閉扉１１側の扉配線部１２６との間を前後に接続するように配置され、前記内枠配線部７５は中継基板７４ａ，７４ｂが装着された中継基板装着部７５により構成され、前記扉配線部１２６は前記中継基板装着部７５の下部前側に対応して設けられ且つ前記中継基板７４ａ，７４ｂから前向きに引き出された前記ハーネス１０９を前側に挿通させるハーネス挿通孔１２６により構成されており、前記遮断手段１６８は、前記中継基板装着部７５の少なくとも上部側を前側から覆うカバー壁部１６１と、該カバー壁部１６１から後ろ向きに突設され且つその後端側が前記中継基板装着部７５の上側に当接又は嵌合する上仕切り壁部１６４と、前記カバー壁部１６１から前向きに突設され且つその前端側が前記ハーネス挿通孔１２６の上側に当接又は嵌合する下仕切り壁部１６２ａとを一体に備えているものである。
【発明の効果】
【０００９】
本発明によれば、内枠３側とその前側の開閉扉１１とを電気的に接続する接続空間を経て遊技盤９側にピアノ線等を挿入して行うゴト行為を効果的に防止できる。
【発明を実施するための最良の形態】
【００１０】
以下、本発明の実施形態を図面に基づいて詳述する。図１〜図１９は本発明をパチンコ機に採用した一実施形態を例示している。図１において、１は遊技機本体で、矩形状の外枠２と、この外枠２の前側に開閉自在に枢着された内枠３とを備えている。
【００１１】
内枠３は例えば合成樹脂製で、図２，図７等に示すように、外枠２の前縁側に当接する矩形状の枠部４と、この枠部４の内縁側から外枠２の内面側に沿って後ろ向き膨出状に形成された嵌合部５とを一体に備え、この嵌合部５の内側下部に設けられた下部装着部６に発射手段７等が、嵌合部５の内側で且つ下部装着部６の上側に設けられた遊技盤装着枠８に遊技盤９が夫々配置されている。
【００１２】
枠部４は、上下一対の横枠部４ａ，４ｂと、左右一対の縦枠部４ｃ，４ｄとで構成されており、内枠３はその左右一端側、例えば左縦枠部４ｃ側に設けられた上下方向のヒンジ１０により外枠２に枢支されている。
【００１３】
また、ヒンジ１０側の左縦枠部４ｃには、その上下の略全長にわたって板金製の枠補強板１６が装着されている。枠補強板１６は、図１８，図１９等に示すように、左縦枠部４ｃの背面に当接する後壁部１６ａと、この後壁部１６ａの外端から左縦枠部４ｃの外側面に沿って前側に屈曲し当接する側壁部１６ｂと、左縦枠部４ｃとの間に所定の隙間を置いて側壁部１６ｂの前端から内側に屈曲する前重合部１６ｃとを一体に備え、例えば後壁部１６ａを左縦枠部４ｃの背面側に固定することにより内枠３に対して着脱自在に装着されている。
【００１４】
また、内枠３の前側には、下部装着部６に対応する下部開閉扉１１と、この下部開閉扉１１の上側で遊技盤９の前側に対応するガラス扉１２とがヒンジ１０と同じ側のヒンジ１３により開閉自在に枢支されている。下部開閉扉１１には、その前側に、発射手段７に供給するための遊技球を貯留する貯留皿１４、発射手段７を作動させるための発射ハンドル１５等が設けられている。
【００１５】
遊技盤装着枠８は、嵌合部５の前部側に設けられ、その前側が遊技盤着脱可能に開放されている。この遊技盤装着枠８に前側から嵌め込まれた遊技盤９は、１又は複数の固定具８ａにより着脱自在に固定されるようになっている。遊技盤９の前面側には、図２に示すように、発射手段７により発射された遊技球を遊技領域９ａの上部側に案内する外レール２１と、遊技領域９ａの周囲を規定する周壁の少なくとも一部を構成する内レール２２とが立設されると共に、遊技領域９ａ内には、その略中央に画像表示手段を備えたセンターケース２３が配置され、更にそのセンターケース２３の左側に通過ゲート２４が、下側に開閉式入賞手段２５及び大入賞手段２６が配置される他、普通入賞手段２７、風車２８等の各種遊技部品が装着されている。
【００１６】
外レール２１及び内レール２２は例えば金属板により構成されており、外レール２１は遊技盤９の下部側の左右方向略中央位置又はそれよりも若干左寄りの位置から遊技盤９の左端側及び上端側を経て右上部側まで略円弧状に配置され、内レール２２は遊技盤９の左上方から下部側の左右方向略中央まで外レール２１に並行するようにその内側に配設され、更にそのまま遊技盤９の右縁部近傍まで略円弧状に延設されている。
【００１７】
このように、内レール２２と外レール２１とは、遊技盤９の左側部分において、互いに所定距離をおいて内外に配設されており、その内レール２２と外レール２１とで挟まれた部分が、発射手段７により発射された遊技球を遊技領域９ａに案内する発射案内通路２９となっている。また、発射案内通路２９から遊技領域９ａへの出口付近には、遊技領域９ａ側から発射案内通路２９側への遊技球の戻りを防止するための球戻り防止手段２９ａが配置されている。
【００１８】
また、遊技盤９の裏面側には、図５に示すように、センターケース２３等の遊技部品を後側から覆う裏カバー３０が装着され、この裏カバー３０の背面側に主制御基板３１ａが格納された主基板ケース３１、演出制御基板３２ａが格納された演出基板ケース３２、液晶制御基板３３ａが格納された液晶基板ケース３３等が着脱自在に装着されている。
【００１９】
遊技盤装着枠８の後側には、図７等に示すように遊技盤９の後部側を略覆う後部ケース４１が一体に設けられている。後部ケース４１は、遊技盤装着枠８の内縁側から遊技盤９側の裏カバー３０の外周面に沿って後ろ向きに延設された後部ケース周壁部４２と、裏カバー３０の背面に沿って配置される後部ケース後壁部４３とで構成されている。後部ケース後壁部４３には、その略中央に遊技盤９の裏側の基板ケース３１〜３３等が嵌合する開口部４４が設けられると共に、この開口部４４を後側から開閉可能に覆う開閉カバー４５（図３）が着脱自在に装着されている。
【００２０】
嵌合部５の後側には、図３に示すように、開口部４４の上側に遊技球タンク５１とタンクレール５２とが装着され、開口部４４の左右一側、例えばヒンジ１０側には、後部ケース後壁部４３の背面側に払い出し手段５３と払い出し通路５４とが装着されており、遊技球が大入賞手段２６等の入賞口に入賞したとき、又は図外の自動球貸し機から球貸し指令があったときに、遊技球タンク５１内の遊技球をタンクレール５２を経て払い出し手段５３により払い出し、その遊技球を払い出し通路５４等を経て貯留皿１４に案内するようになっている。
【００２１】
また、後部ケース４１の下側で且つ下部装着部６の背面側には、基板装着台５５が着脱自在に装着されており、この基板装着台５５の背面側に、例えば電源基板５６ａが格納された電源基板ケース５６と、払い出し制御基板５７ａが格納された払い出し基板ケース５７とが着脱自在に装着されている。
【００２２】
遊技盤９の前側に対応して内枠３に装着されるガラス扉１２は、図４等に示すように、遊技盤９の遊技領域９ａを透視可能なガラス窓５８（図１）の窓孔を有する例えば板金製の扉枠５９と、この扉枠５９の前側に装着された合成樹脂製の化粧カバー６０と、扉枠５９の裏側に装着されたガラスユニット６１とを備え、内枠３側に閉じたとき、扉枠５９の外縁側が枠部４の前側に略当接すると共に、ガラスユニット６１がその内側に嵌合するようになっている。
【００２３】
扉枠５９には、その外縁側に沿って後ろ向きに屈曲する屈曲部５９ａが略全周にわたって形成されている。また、ガラスユニット６１は、前後二枚のガラス板６２と、この二枚のガラス板６２を外周で保持する合成樹脂製の保持枠６３とで構成されており、扉枠５９の裏側に設けられた締結摘まみ６４により扉枠５９に着脱自在に装着されている。
【００２４】
下部装着部６には、その前側の例えば左右方向略中央に発射手段７が配置されている。発射手段７は、図２に示すように、板金製の支持板６５と、この支持板６５の前面に装着された発射レール６６と、支持板６５の前面に装着され且つ発射用の遊技球を発射レール６６上に保持する球保持部６７と、支持板６５の前面で前後方向の駆動軸６８ａ廻りに揺動自在に支持された打撃槌６８と、支持板６５の裏側に装着され且つ打撃槌６８を駆動軸６８ａを介して打撃方向に駆動するロータリソレノイド等の発射駆動手段６９等を備えている。
【００２５】
発射レール６６は、発射方向前端部６６ａよりも発射方向後端部６６ｂが高い傾斜状に配置されており、その発射方向後端部６６ｂと外レール２１の発射方向前端部２１ａとの間には所定距離のレール欠落部７０が形成されている。
【００２６】
そして、発射手段７は、下部開閉扉１１側の発射ハンドル１５が操作されたときに発射駆動手段６９により打撃槌６８を打撃方向（時計廻り）に間欠的に駆動することにより、貯留皿１４側から発射レール６６上に供給される遊技球を発射レール６６に沿って打撃して発射させるようになっている。発射された遊技球は、十分に勢いがある場合にはレール欠落部７０を飛び越えて遊技盤９側の発射案内通路２９内に入り、球戻り防止手段２９ａを通過して遊技領域９ａ内に進入する。一方、発射時の勢いが不十分で遊技領域９ａまで到達できなかったファール球は、例えば発射案内通路２９を逆走してレール欠落部７０に落下する。
【００２７】
また下部装着部６には、図８，図９等に示すように、発射手段７に対してヒンジ１３側、即ち左側に、内枠３の背面側に設けられた払い出し手段５３から払い出された遊技球を貯留皿１４側に誘導する誘導通路ユニット７１、この誘導通路ユニット７１の下流端側に設けられた排出口７２（図１０，図１１）を開閉可能な排出口開閉手段７３、内枠３側と下部開閉扉１１側とを電気的に接続する中継基板７４ａ，７４ｂが装着された中継基板装着部（内枠配線部）７５等が配置され、また発射手段７に対してヒンジ１３と反対側、即ち右側には下部スピーカ７６（図２）等が配置されている。
【００２８】
誘導通路ユニット７１は、図１０，図１１等に示すように、例えば略前後方向の管状に形成された誘導通路７７と、この誘導通路７７を内枠３側に固定するための１又は複数の固定部７８とを備え、誘導通路７７の後端側、即ち上流端側に例えば後ろ向き開口状に形成された流入口７９が払い出し通路５４の下流端側に連結され、誘導通路７７の前端側、即ち下流端側に下向き開口状に形成された排出口７２を下部装着部６の前側に突出させた状態で、下部装着部６のヒンジ１３側上部に形成された誘導通路用開口部８０内に配置され、内枠３に着脱自在に装着されている（図１４）。
【００２９】
誘導通路７７は、底壁８１と、この底壁８１の長手方向に対する両側に沿って立設される一対の側壁８２と、底壁８１の下流端側に立設される前端壁８３と、底壁８１の上側に略平行に配置される上壁８４とで断面略矩形状に形成され、後端部７７ａに対して前端部７７ｂが遊技機本体１の左右方向中央寄りとなるように、平面視前後方向に配設された後端部７７ａと前端部７７ｂとの間を平面視斜め方向に配設された中間部７７ｃにより連結されており、前端部７７ｂの底壁８１側に排出口７２が例えば略矩形状に形成されている。
【００３０】
また、誘導通路７７における排出口７２の上側に対応する位置には、流下してきた遊技球を下側の排出口７２に案内するように、上壁８４と前端壁８３との間に前下がりの傾斜案内壁８５が設けられている。
【００３１】
更に、誘導通路７７の前端部７７ｂには、排出口７２に対して遊技機本体１の左右方向中央側、即ち右側に向けて閉鎖壁８６が略水平に突設されており、この閉鎖壁８６には金属製の保護板８７が着脱自在に装着されている。
【００３２】
保護板８７は、閉鎖壁８６の上面８６ａに沿う上保護板８７ａと、閉鎖壁８６の下面８６ｂに沿う下保護板８７ｂと、それら上保護板８７ａと下保護板８７ｂとを一端側で上下に連結する連結部８７ｃとで断面略コの字型に形成されており、例えば閉鎖壁８６の前縁側から装着されている。また、閉鎖壁８６には、例えばその上下両面側の略中央に固定爪８８が突設されており、保護板８７を閉鎖壁８６に装着する際、保護板８７側の係合孔８９に固定爪８８が係合して、保護板８７は閉鎖壁８６に対して係脱可能に保持されるようになっている。
【００３３】
なお、誘導通路ユニット７１は、図１１に示すように例えば下部部材９１と上部部材９２とが上下に結合されて形成されている。下部部材９１は、底壁８１、側壁８２、前端壁８３、閉鎖壁８６、固定部７８の他、例えば上部部材９２との結合用の被係合部９４等を一体に備え、また上部部材９２は、上壁８４、傾斜案内壁８５の他、下部部材９１との結合用の係合部９５等を一体に備えており、上部部材９２側の係合部９５を下部部材９１側の被係合部９４に係脱自在に係合させることにより互いに結合されている。
【００３４】
排出口開閉手段７３は、図８，図９，図１８等に示すように、誘導通路ユニット７１の排出口７２を下側から閉鎖可能な閉鎖板１０１を有する開閉部材１０２と、この開閉部材１０２を上下方向の軸廻りに揺動自在に支持する軸受ケース１０３とを備え、この軸受ケース１０３が下部装着部６の前側に着脱自在に固定されている。
【００３５】
開閉部材１０２は、閉鎖板１０１が排出口７２を下側から閉鎖する閉鎖位置（図１８  （ｂ））と、閉鎖板１０１が後側に待避して排出口７２を開放する開放位置（図１８（ａ））との間で前後方向に揺動自在であると共に、軸受ケース１０３内に設けられた付勢手段１０３ａにより閉鎖位置側、即ち前向きに付勢されており、下部開閉扉１１が閉じられて下部開閉扉１１側の払い出し案内樋１０４が排出口７２の下側に連通する際、前側の押圧面１０５が払い出し案内樋１０４により後ろ向きに押されて排出口７２を開放するようになっている（図１８（ｂ）→（ａ））。
【００３６】
なお、開閉部材１０２は、図８に示すように、閉鎖板１０１及び押圧面１０５を備えた本体部１０２ａと、この本体部１０２ａから左右方向の一側、例えばヒンジ１３側に向けて突設されたアーム部１０２ｂとを一体に備えており、本体部１０２ａが、下部装着部６上で且つ誘導通路用開口部８０の下側に例えば後ろ向き凹入状に形成された開閉部材収容部１０６内に配置され、アーム部１０２ｂの先端側が、開閉部材収容部１０６の左右方向一側、例えばヒンジ１３側の開閉手段装着部１０７に装着された軸受ケース１０３により支持されている。
【００３７】
中継基板装着部７５は、例えば開閉部材収容部１０６及び開閉手段装着部１０７の下側で且つ下部装着部６の前側に設けられており、開閉部材収容部１０６の下側に配置される第１装着部７５ａと、開閉手段装着部１０７の下側に配置される第２装着部７５ｂと、前後方向貫通状のハーネス挿通部７５ｃとを備え、第１中継基板７４ａが第１装着部７５ａに、第２中継基板７４ｂが第２装着部７５ｂに、夫々コネクタ１０８が装着されたコネクタ装着面が前向きとなるように着脱自在に装着され、中継基板７４ａ，７４ｂと内枠３の背面側とを電気的に接続するハーネス１０９がハーネス挿通部７５ｃに挿通されている。
【００３８】
中継基板装着部７５は、図８，図９，図１４〜図１７，図１９等に示すように、中継基板７４ａ，７４ｂの背面に対向する背壁１１１と、中継基板７４ａ，７４ｂの外周を取り囲む上下左右の周壁１１２〜１１５とで前側が基板着脱可能に開放されている。
【００３９】
なお、第１装着部７５ａと第２装着部７５ｂとは、第２装着部７５ｂよりも第１装着部７５ａ側が上向きに突出しており、上周壁部１１２は、第１装着部７５ａの上側に対応する第１上周壁部１１２ａと、第２装着部７５ｂの上側に対応する第２上周壁部１１２ｂと、第１装着部７５ａの側方に沿って第１上周壁部１１２ａと第２上周壁部１１２ｂとを上下に連結する縦周壁部１１２ｃとで段差状に形成されている。また、例えばハーネス挿通部７５ｃは第１装着部７５ａの下側に配置されている。
【００４０】
また、下部装着部６の前側に装着される下部開閉扉１１は、図６等に示すように、下部装着部６の前側に略平行に配置される台板１２１と、この台板１２１の前側上部に配置される貯留皿１４と、貯留皿１４の前側から台板１２１の略全体を覆う化粧カバー１２２と、この化粧カバー１２２の前側に突設される発射ハンドル１５と、台板１２１の裏側に着脱自在に装着される球送り手段１２３及びファール球返却手段１２４とを備えている。
【００４１】
台板１２１は、例えば合成樹脂により下部装着部６を略覆う横長矩形状に形成され、左右一端側、例えば左端側においてヒンジ１３により内枠３側に枢支されており、例えばヒンジ１３側上部の払い出し排出口１２５（図１）、ヒンジ１３側下部のハーネス挿通孔  （扉配線部）１２６等の複数の開口部が前後方向貫通状に形成されると共に、払い出し排出口１２５の後側に対応して払い出し案内樋１０４が後ろ向き突出状に一体形成されている。
【００４２】
払い出し案内樋１０４は、図１４，図１５，図１７，図１８等に示すように、払い出し排出口１２５の下縁側から後ろ向きに延設され且つ前下がりの傾斜状に形成された底壁１０４ａと、この底壁１０４ａの左右両縁側に沿って立設された側壁１０４ｂと、底壁１０４ａの後縁側に沿って立設された後壁１０４ｃとを一体に備え、その上側の略全体が球受け口１３１となっており、下部開閉扉１１が閉状態のとき、排出口開閉手段７３の開閉部材１０２を開放位置側に押し下げて誘導通路７７の排出口７２を開放すると共にその排出口７２の下側に球受け口１３１を連通させ（図１８）、誘導通路７７内を流下してきた遊技球を受けて前側の払い出し排出口１２５から貯留皿１４側に案内するようになっている。
【００４３】
ここで、誘導通路７７は、図１７，図１８等より明らかなように少なくとも排出口７２を設けた前端部７７ｂが球受け口１３１よりも左右方向に狭く形成されており、その球受け口１３１における誘導通路７７の横側にはみ出した部分を、誘導通路７７の一側に設けた閉鎖壁８６により上側から閉鎖するようになっている。
【００４４】
ハーネス挿通孔１２６は、下部開閉扉１１の前側に設けられた貸し球操作部１３６、演出操作部１３７等の電気部品（図１）と内枠３側とを電気的に接続するためのハーネス１０９を通すためのもので、例えばこのハーネス挿通孔１２６から後ろ向きに引き出されたハーネス１０９が、下部装着部６側の中継基板７４ａ，７４ｂのコネクタ１０８に接続されている（図１６等）。なお、ハーネス挿通孔１２６は、下部装着部６側の中継基板装着部７５の前側に対応して形成されており、これら中継基板装着部７５とハーネス挿通孔１２６との間の空間が、内枠３側と下部開閉扉１１側とを電気的に接続するための接続空間となっている。
【００４５】
また、台板１２１には、その背面側の略全体を覆う板金製の補強板１２７が着脱自在に装着されている。補強板１２７には、台板１２１側の払い出し案内樋１０４、ハーネス挿通孔１２６等に対応する開口部が形成されると共に、払い出し案内樋１０４の一部を覆う保護カバー１３０が後ろ向きに突設されている。
【００４６】
保護カバー１３０は、図６，図１４，図１５，図１７，図１８等に示すように、払い出し案内樋１０４の左右の側壁１０４ｂの外側を覆う一対の側面保護板１３０ａと、払い出し案内樋１０４の球受け口１３１のうち、誘導通路７７と閉鎖壁８６とで覆われない前部側を覆う上閉鎖板１３０ｂとで構成されている。即ち、払い出し案内樋１０４の球受け口１３１は、誘導通路７７の前端部７７ｂ、閉鎖壁８６及び保護カバー１３０の上閉鎖板１３０ｂによりその上側が略閉鎖されている。
【００４７】
また、補強板１２７には、その上縁側に断面コの字型に折り曲げて形成された上縁嵌合部１２７ａが左右方向の略全体にわたって設けられており、ガラス扉１２を閉じたとき、ガラス扉１２側の屈曲部５９ａがこの上縁嵌合部１２７ａに前側から嵌合するようになっている（図１４〜図１６）。
【００４８】
更に、台板１２１の背面側には、ヒンジ１３側の一部分を覆う板金製の基部保護板１３２が、補強板１２７に重ねて装着されている。基部保護板１３２は、台板１２１のヒンジ１３側縁部と払い出し案内樋１０４との間に配置されており、ヒンジ１３側縁部には、後ろ向きに起立する起立部１３３ａとその起立部１３３ａの後端側から外側へと屈曲する後重合部１３３ｂとが設けられ、ヒンジ１３と反対側の縁部には、後ろ向きに起立する起立部１３４が設けられている。後重合部１３３ｂは、下部開閉扉１１が閉じられたとき、左縦枠部４ｃの内側から枠補強板１６の前重合部１６ｃの裏面に当接又は近接して前後に重合するようになっている（図１８，図１９）。
【００４９】
貯留皿１４は、台板１２１の前側上部に横長状に設けられ、払い出し排出口１２５に対応する左端側から右端側に向けて緩やかに下る傾斜状に形成されており、遊技球を徐々に一列状に整列させつつ下流側の球送り手段１２３に案内するようになっている。なお、貯留皿１４の底壁には開閉可能な球抜き口１３５が設けられている。
【００５０】
化粧カバー１２２は、貯留皿１４の前側から台板１２１の略全体を覆うように台板１２１の前側に装着されており、例えば貯留皿１４の前側に貸し球操作部１３６、演出操作部１３７等の各種スイッチ類が配置され、また貯留皿１４の左側に灰皿１３８等が、右側に発射ハンドル１５等が配置されている。
【００５１】
球送り手段１２３は、貯留皿１４側から流下してきた遊技球を、打撃槌６８による発射動作と同期して発射レール６６上に一個ずつ供給するためのもので、発射手段７の前側に対応して台板１２１の後側に着脱自在に装着されている。
【００５２】
ファール球返却手段１２４は、発射手段７により発射されたにも拘わらず遊技領域９ａに達することなく戻ってきたファール球を貯留皿１４等に返却するためのもので、発射レール６６と外レール２１との間のレール欠落部７０の下側に対応して台板１２１の後側に着脱自在に装着されている。
【００５３】
ファール球返却手段１２４は、ファール球を受けるファール球受け部１４１、このファール球受け部１４１で受けたファール球を貯留皿１４側に案内するファール球返却通路１４２等を例えば一体に備えている。ファール球受け部１４１は、レール欠落部７０内に落下したファール球を受けて前側のファール球返却通路１４２側に案内するように構成されている。ファール球受け部１４１とその発射方向下流側の外レール２１との間には、ファール球をファール球受け部１４１側に案内する傾斜面１４３ａを備えたファール球案内部１４３が設けられている。
【００５４】
ファール球案内部１４３は、図１７に示すように、払い出し案内樋１０４の右側部から右上部を覆うように配置されており、下部開閉扉１１が閉じられたとき、払い出し案内樋１０４とその上側のファール球案内部１４３との間に誘導通路ユニット７１側の閉鎖壁８６が後側から嵌合するようになっている。なお、ファール球案内部１４３の下流端側は、外レール２１の発射方向前端部２１ａに近接しており、誘導通路７７の下流側端部７７ｂの上方に外レール２１が配置されている。
【００５５】
ファール球返却通路１４２は、台板１２１の裏側に沿って例えば右下がりの緩やかな傾斜状に設けられ、その下流端側が、貯留皿１４上に対応して台板１２１に設けられたファール球返却孔１４４（図１）の後部側に接続されており、ファール球受け部１４１で受け止められたファール球をファール球返却孔１４４を介して貯留皿１４側に案内するようになっている。
【００５６】
内枠３側の下部装着部６とその前側の下部開閉扉１１との間には、ヒンジ１３側端部近傍に、それら下部装着部６と下部開閉扉１１との隙間を略塞ぐ閉鎖カバー（開閉体）１５１が配置され、例えば下部装着部６側に開閉自在且つ着脱自在に枢支されている。
【００５７】
閉鎖カバー１５１は、図９，図１２，図１３等に示すように、下部装着部６側の開閉部材収容部１０６，開閉手段装着部１０７，及び中継基板装着部７５の前側を略覆う下カバー部１５２と、この下カバー部１５２の上側に配置され且つガラス扉１２側のガラスユニット６１の下縁側を覆う上カバー部１５３とを一体に備え、左右方向一端側、例えば右端側に設けられた上下方向のヒンジ手段１５４により下部装着部６側に揺動自在に支持され、ヒンジ手段１５４とは反対側の開閉端側が閉状態で下部装着部６側に係脱可能に係止されるようになっている。
【００５８】
下カバー部１５２は、下部装着部６と台板１２１との間に台板１２１と略平行に配置されたカバー壁部１６１と、このカバー壁部１６１の外縁側から前向きに立設された前周壁部１６２と、カバー壁部１６１の外縁側から後ろ向きに立設された後周壁部１６３と、中継基板装着部７５の上周壁部１１２に沿うようにカバー壁部１６１から後ろ向きに立設された仕切り壁部１６４と、下部開閉扉１１側の基部保護板１３２の起立部１３４に沿うようにカバー壁部１６１から前向きに立設された重合壁部１６５とを例えば一体に備えている。
【００５９】
カバー壁部１６１は、下部装着部６側の開閉部材収容部１０６，開閉手段装着部１０７，及び中継基板装着部７５を前側から略覆う形状に形成されると共に、例えば右側上部には払い出し案内樋１０４に対応する上切欠部１６６が、左側下部にはハーネス挿通用の下切欠部１６７が夫々設けられている。
【００６０】
前周壁部１６２は、カバー壁部１６１の略全周に対応して設けられており、閉鎖カバー１５１及び下部開閉扉１１を閉じたとき、その前端側が下部開閉扉１１側の台板１２１又は補強板１２７の背面側に当接又は近接して、カバー壁部１６１と下部開閉扉１１との間の隙間を略閉鎖するようになっている。
【００６１】
後周壁部１６３は、下切欠部１６７に対応する部分を除くカバー壁部１６１の略全周に対応して設けられており、閉鎖カバー１５１を閉じたとき、その後端側が下部装着部６側に当接又は近接して、カバー壁部１６１と下部装着部６との間の隙間を略閉鎖するようになっている（図１４〜図１６，図１８，図１９）。
【００６２】
なお、前周壁部１６２のうち、下切欠部１６７を含むカバー壁部１６１の下縁側に対応する下部前周壁部１６２ａは、カバー壁部１６１の前側においてハーネス挿通孔１２６と遊技盤９との間を上下に仕切っている。
【００６３】
仕切り壁部１６４は、第１上周壁部１１２ａに対応する第１仕切り壁部１６４ａと、第２上周壁部１１２ｂに対応する第２仕切り壁部１６４ｂと、縦周壁部１１２ｃに対応する縦仕切り壁部１６４ｃとを備え、閉鎖カバー１５１を閉じたとき、上周壁部１１２ａ〜１１２ｃの中継基板装着部７５に対する外面側に嵌合して、カバー壁部１６１の後側においてハーネス挿通孔１２６と遊技盤９との間を上下に仕切るようになっている。
【００６４】
このように、カバー壁部１６１の前側においてハーネス挿通孔１２６と遊技盤９との間を上下に仕切る下部前周壁部（下仕切り壁部）１６２ａと、カバー壁部１６１の後側においてハーネス挿通孔１２６と遊技盤９との間を上下に仕切る仕切り壁部（上仕切り壁部）１６４と、カバー壁部１６１のうち仕切り壁部１６４と下部後周壁部１６３ａとの間に対応する下部カバー壁部１６１ａとで、ハーネス１０９の配置位置と遊技盤９との間で上下に遮断する遮断手段１６８を構成している。また、後周壁部１６３のうち、下部カバー壁部１６１ａの左右両縁側に対応する側部後周壁部１６３ａにより、遮断手段１６８の下側の空間の左右両側が略閉鎖されている。
【００６５】
重合壁部１６５は、下部開閉扉１１側の基部保護板１３２の起立部１３４のヒンジ１３側に沿うように上下の後周壁部１６３間に上下に配置されており、閉鎖カバー１５１及び下部開閉扉１１を閉じたとき、その前端側が基部保護板１３２側に当接又は近接して、起立部１３４に対して左右に重合するようになっている（図１８，図１９）。なお、後周壁部１６３には、基部保護板１３２側の起立部１３４が前側から嵌合可能な切欠部１６９が形成されている。
【００６６】
上カバー部１５３は、下カバー部１５２の上端側から払い出し案内樋１０４の上側に沿って右向き突出状に配置されており、下カバー部１５２側のカバー壁部１６１から同一平面上で延設された前壁部１７１と、この前壁部１７１からガラスユニット６１の下面側に沿って後ろ向きに立設された後上壁部１７２と、前壁部１７１からガラスユニット６１の下面側に沿って前向きに立設された前上壁部１７３と、後上壁部１７２の後縁側からガラスユニット６１の背面側に沿って上向きに延設された背壁部１７４とを備えている。
【００６７】
前壁部１７１は、下部開閉扉１１を閉じたときに上縁嵌合部１２７ａの背面側が当接又は近接する位置に設けられており、前上壁部１７３は、前壁部１７１の上縁側のうち、下部開閉扉１１側の上縁嵌合部１２７ａよりも上側に突出した部分にのみ設けられている。
【００６８】
ヒンジ手段１５４は、下部装着部６側に設けられた上下方向のヒンジ軸１８１と、閉鎖カバー１５１側に設けられ且つヒンジ軸１８１が嵌合可能なヒンジ孔１８２とで構成されている。ヒンジ軸１８１は、中継基板装着部７５の一側、例えばヒンジ１３と反対側に上下方向に複数配置されており、例えば下部装着部６の前側に突設されたヒンジ軸支持部１８１ａから上向き突出状に設けられている。
【００６９】
また、ヒンジ孔１８２は、閉鎖カバー１５１の右側面から外向きに突設された上下方向複数のヒンジ孔支持部１８２ａ上に設けられており、その下側からヒンジ軸１８１を夫々上向きに挿通させることにより、閉鎖カバー１５１は下部装着部６に対してヒンジ軸１８１廻りに揺動可能に支持されている。
【００７０】
閉鎖カバー１５１におけるヒンジ手段１５４と反対側の端部側、即ち左端側には、例えば後周壁部１６３の後縁側に沿って係合部１８３が外向きに突設されており、閉鎖カバー１５１が下部装着部６側に閉じられたとき、図１９に示すようにこの係合部１８３が下部装着部６側の被係合部１８４に係脱可能に係合することにより閉鎖カバー１５１が閉状態で保持されるようになっている。
【００７１】
以上説明したように、本実施形態のパチンコ機では、内枠３と下部開閉扉１１との間の空間を、ハーネス１０９の配置位置と遊技盤９との間で上下に遮断する遮断手段１６８を設けているため、内枠３側とその前側の下部開閉扉１１とを電気的に接続する接続空間を経て遊技盤９側にピアノ線等を挿入して行うゴト行為を効果的に防止できる。
【００７２】
ハーネス１０９は、内枠３側の中継基板装着部７５と下部開閉扉１１側のハーネス挿通孔１２６との間を前後に接続するように配置され、遮断手段１６８は、その後端部が中継基板装着部７５の上側に嵌合（又は当接）し、前端部がハーネス挿通孔１２６の上側に当接（又は嵌合）するように構成されているため、ハーネス１０９の配線を阻害することなく、ハーネス１０９の配置位置と遊技盤９との間を確実に遮断できる。
【００７３】
遮断手段１６８は、中継基板装着部７５の少なくとも上部側を前側から覆うカバー壁部１６１と、カバー壁部１６１から後ろ向きに突設され且つその後端側が中継基板装着部７５の上側に当接又は嵌合する上仕切り壁部１６４と、カバー壁部１６１から前向きに突設され且つその前端側がハーネス挿通孔１２６の上側に当接又は嵌合する下仕切り壁部１６２ａとを一体に備えているため、ハーネス１０９の配置位置と遊技盤９との間を遮断できるだけでなく、カバー壁部１６１により中継基板装着部７５の前側を保護できると共にハーネス１０９を所定の配線位置に案内できる利点がある。
【００７４】
また、遮断手段１６８は、内枠３の前側に開閉自在に枢着された閉鎖カバー１５１上に設けられているため、ハーネス１０９の着脱作業等を容易に行うことができる。
【００７５】
以上、本発明の実施形態について詳述したが、本発明はこれらの実施形態に限定されるものではなく、本発明の趣旨を逸脱しない範囲で種々の変更が可能である。例えば、内枠配線部を、ハーネス１０９を前後に挿通させる挿通孔とし、例えば内枠３の裏側に設けた中継基板から引き出されたハーネス１０９をこのハーネス挿通孔から下部開閉扉１１側に通すようにしてもよい。
【００７６】
中継基板装着部７５に装着する中継基板は、例えばコネクタ１０８の装着面が上向き、横向き等となるように配置してもよい。また中継基板装着部７５に装着する中継基板は一枚でもよいし三枚以上でもよい。
【００７７】
閉鎖カバー１５１のヒンジ手段１５４はヒンジ１３側の端部側（左端側）に設けてもよいし、上縁側又は下縁側に設けてもよい。また、閉鎖カバー１５１を下部開閉扉１１側に装着してもよい。
【００７８】
実施形態では下部開閉扉１１とガラス扉１２とを別々に開閉可能としたが、下部開閉扉１１とガラス扉１２とを一つの開閉扉として一体に開閉可能としてもよい。
【００７９】
更に、実施形態では本発明をパチンコ機に適用した例を示したが、アレンジボール機等の各種弾球遊技機において同様に実施可能であることは言うまでもない。
【図面の簡単な説明】
【００８０】
【図１】本発明の一実施形態を示すパチンコ機の全体斜視図である。
【図２】本発明の一実施形態を示すパチンコ機でガラス扉及び下部開閉扉を外した状態の正面図である。
【図３】本発明の一実施形態を示すパチンコ機の全体背面図である。
【図４】本発明の一実施形態を示すパチンコ機のガラス扉の斜視図である。
【図５】本発明の一実施形態を示すパチンコ機の遊技盤の背面図である。
【図６】本発明の一実施形態を示すパチンコ機の下部開閉扉の斜視図である。
【図７】本発明の一実施形態を示すパチンコ機の内枠の斜視図である。
【図８】本発明の一実施形態を示すパチンコ機の下部開閉扉及び閉鎖カバー１５１を外した状態での要部正面図である。
【図９】本発明の一実施形態を示すパチンコ機の下部開閉扉を外した状態での要部斜視図である。
【図１０】本発明の一実施形態を示すパチンコ機の誘導通路ユニットの斜視図である。
【図１１】本発明の一実施形態を示すパチンコ機の誘導通路ユニットの分解斜視図である。
【図１２】本発明の一実施形態を示すパチンコ機の閉鎖カバーの斜視図である。
【図１３】本発明の一実施形態を示すパチンコ機の閉鎖カバーの斜視図である。
【図１４】本発明の一実施形態を示すパチンコ機の要部側面断面図である。
【図１５】本発明の一実施形態を示すパチンコ機の要部側面断面図である。
【図１６】本発明の一実施形態を示すパチンコ機の要部側面断面図である。
【図１７】本発明の一実施形態を示すパチンコ機の要部正面断面図である。
【図１８】本発明の一実施形態を示すパチンコ機の下部開閉扉の開状態／閉状態での要部平面断面図である。
【図１９】本発明の一実施形態を示すパチンコ機の要部平面断面図である。
【符号の説明】
【００８１】
３    内枠
９    遊技盤
１１    下部開閉扉（開閉扉）
１３    ヒンジ
１４    貯留皿
７４ａ  第１中継基板
７４ｂ  第２中継基板
７５    中継基板装着部（内枠配線部）
１０９    ハーネス
１２６    ハーネス挿通孔（扉配線部）
１５１    閉鎖カバー（開閉体）
１６１    カバー壁部
１６２ａ  下部前周壁部（下仕切り壁部）
１６４    上仕切り壁部
１６８    遮断手段
【図１】
0004607147.tif 000002
【図２】
0004607147.tif 000003
【図３】
0004607147.tif 000004
【図４】
0004607147.tif 000005
【図５】
0004607147.tif 000006
【図６】
0004607147.tif 000007
【図７】
0004607147.tif 000008
【図８】
0004607147.tif 000009
【図９】
0004607147.tif 000010
【図１０】
0004607147.tif 000011
【図１１】
0004607147.tif 000012
【図１２】
0004607147.tif 000013
【図１３】
0004607147.tif 000014
【図１４】
0004607147.tif 000015
【図１５】
0004607147.tif 000016
【図１６】
0004607147.tif 000017
【図１７】
0004607147.tif 000018
【図１８】
0004607147.tif 000019
【図１９】
0004607147.tif 000020